(57)【要約】【課題】  従来の熱風式のスクリードプレート加熱装置は、熱気をダクト内部に送風するブロワが故障した場合にはバーナから炎が逆火したり、バーナの着火に失敗した場合には、未燃焼のＬＰガスがダクト内に溜まり、引火した際に爆発を起こす危険性があった。【解決手段】  ヒーター５１Ｌで電気エネルギーを熱エネルギーに変換して、加熱部３９Ｌの内部の空気を加熱して熱気を生成する。ヒーター５１Ｌによって生成された熱気は、ファン３８Ｌによってスクリードプレート３１Ｌ上のダクト内の往路Ａに熱風として送り出され、スクリードプレート３１Ｌの半分の上面を熱伝達によって加熱しながら往路Ａを流れ、その後、仕切り板３４Ｌの端部で折り返してダクト内の復路Ｂに流れ込む。復路Ｂに流れ込んだ熱風は、再加熱ヒータ５２Ｌで再び加熱され、スクリードプレート３１Ｌの残り半分の上面を加熱しながら流れ、ファン３８Ｌに吸入される。【選択図】  図５
2009243100.tif 000002
【特許請求の範囲】
【請求項１】
加熱混合物を敷き均して舗装面を平滑に仕上げるスクリードプレートを加熱するスクリードプレート加熱装置において、
電気エネルギーを熱エネルギーに変換して空気を加熱し、熱気を生成する熱気生成手段と、この熱気生成手段で生成された熱気を前記スクリードプレート上に熱風として送り出す熱風送出手段とを備えることを特徴とするスクリードプレート加熱装置。
【請求項２】
前記熱風送出手段により前記スクリードプレート上に送り出された熱風を前記熱風送出手段に戻して前記スクリードプレート上を循環させる熱風循環経路を備えていることを特徴とする請求項１に記載のスクリードプレート加熱装置。
【請求項３】
前記熱風送出手段から送り出された熱気を再加熱する再加熱手段を備えていることを特徴とする請求項１または請求項２に記載のスクリードプレート加熱装置。
【発明の詳細な説明】
【技術分野】
【０００１】
本発明は、加熱混合物を敷き均して舗装面を平滑に仕上げるスクリードプレートを加熱するスクリードプレート加熱装置に関するものである。
【背景技術】
【０００２】
従来、この種のスクリードプレート加熱装置としては、例えば、ＬＰ（液化石油）ガスを燃料とするバーナ（燃焼器）を用いた、アスファルトフィニッシャといった舗装機械に備えられている図１（ａ）に示すものがある。
【０００３】
同図はスクリードを後ろから見た図であり、スクリードプレート１の上部にはダクト２が設けられ、このダクト２の右端部上方にはバーナ３が設けられている。このバーナ３内では、ＬＰガスボンベ４から供給されるＬＰガスが燃焼させられる。この燃焼により生じた熱気５は、バーナ３上部に設けられた外気６を取り込むブロワ（送風機）７によって燃焼ガスと共にダクト２内部に導かれ、ダクト２の下面に設けられた複数の穴８からスクリードプレート１に吹き付けられる。スクリードプレート１は、熱気５が吹き付けられることによって加熱する。スクリードプレート１を加熱した後の排気９は、排気ダクト１０を介して外部へ排出される。
【０００４】
このような熱風式の加熱装置としては、例えば、特許文献１に開示されたものがある。この特許文献１には、バーナの燃焼により生じた熱気をデフレクタプレート内の中空部に導き、デフレクタプレートを加熱する加熱装置が開示されている。
【０００５】
また、従来、上記のようなバーナを用いない電気加熱式のスクリードプレート加熱装置として、例えば、スクリードプレート上に発熱体を備えた、図１（ｂ）に示すものがある。
【０００６】
同図はスクリードを上から見た図であり、このスクリードプレート加熱装置は、スクリードプレート１１上に備えられたシースヒータ１２に電源１３から電流を供給して、シースヒータ１２を発熱させる。シースヒータ１２はおさえ板１４によりスクリードプレート１１に押し付けられており、スクリードプレート１１はシースヒータ１２からの熱伝導により加熱される。
【特許文献１】特開平１１−１２４８１２号公報（段落［００１６］および図３参照）
【発明の開示】
【発明が解決しようとする課題】
【０００７】
しかしながら、上記従来の図１（ａ）に示すような熱風式のスクリードプレート加熱装置は、スクリードプレート１を加熱する熱気５がＬＰガスの燃焼によって生成されるので、非常に高温である。従って、熱気５の全量をスクリードプレート１に直接吹き付けると、熱気５が直接吹き付けられるスクリードプレート１の一部分だけが異常に高温になり、その部分が破損に至る。この対策として、ダクト２に穴８を設ける位置を調節して均一な温度分布が得られるようにしているが、穴８の間近で穴８から噴出する熱気５によって加熱される部分と、穴８から離れた位置で加熱される部分とに、どうしても温度差が生じる。このため、スクリードプレート１の温度分布は、十分に均一にならなかった。
【０００８】
また、上記従来の図１（ａ）に示すような熱風式のスクリードプレート加熱装置は、熱気５をダクト２内部に送風するブロワ７が故障した場合にはバーナ３から炎が逆火したり、バーナ３の着火に失敗した場合には、未燃焼のＬＰガスがダクト２内に溜まり、引火した際に爆発を起こす危険性がある。また、排気ダクト１０から排出される排気９は、スクリードプレート１を加熱して温度が下がったものとはいえ、依然として高温である。このため、人が排気ダクト１０に触れると火傷する危険性がある。
【０００９】
また、上記従来の図１（ｂ）に示すような電気加熱式のスクリードプレート加熱装置は、熱源であるシースヒータ１２が線状をしており、この線状の熱源からの熱伝導で、加熱する面積が広いスクリードプレート１１の全体を加熱する。このため、スクリードプレートに熱風を吹き付けて加熱する構成と比べて、スクリードプレート１１の温度を上昇させるのに時間が掛かる。また、スクリードプレート１１は、舗装面を施工中、舗装面を締め固めるタンパ装置の影響で振動する。このため、スクリードプレート１１と接触して設けられているシースヒータ１２等の発熱体は、スクリードプレート１１と同じ振動に晒されて、故障する確率が高った。
【課題を解決するための手段】
【００１０】
本発明は、このような課題を解決するためになされたもので、加熱混合物を敷き均して舗装面を平滑に仕上げるスクリードプレートを加熱するスクリードプレート加熱装置において、電気エネルギーを熱エネルギーに変換して空気を加熱し、熱気を生成する熱気生成手段と、この熱気生成手段で生成された熱気をスクリードプレート上に熱風として送り出す熱風送出手段とを備えることを特徴とする。
【００１１】
本構成によれば、熱気生成手段が、電気エネルギーを熱エネルギーに変換して空気を加熱し、熱気を生成するため、生成される熱気は、ＬＰガスの燃焼によって生成される熱気ほど高温にはならない。従って、熱気が直接吹き付けられるスクリードプレートの一部分だけが異常に高温になり、その部分が破損に至ることがなくなる。また、熱気が直接吹き付けられるスクリードプレートの一部分だけが異常に高温になることがなくなるので、熱気が直接吹き付けられる部分と、その部分から離れた位置で加熱される部分との温度差がそれほど生じなくなり、スクリードプレートの温度分布はほぼ均一になる。
【００１２】
また、熱気生成手段が、電気エネルギーを熱エネルギーに変換して空気を加熱し、熱気を生成するので、バーナを燃焼させるＬＰガスを使用せずにすむ。このため、従来のように、ブロワが故障した場合にバーナから炎が逆火したりする危険性や、バーナの着火に失敗した場合に、未燃焼のＬＰガスがスクリードプレート上に溜まり、引火した際に爆発を起こす危険性はなくなる。
【００１３】
また、熱風送出手段により、熱気生成手段で生成された熱気がスクリードプレート上に熱風として送り出されるので、従来の、線状のシースヒータを用いた熱伝導によってスクリードプレートを加熱する構成と比べ、加熱する面積が広いスクリードプレートの全体を短時間で加熱することができる。また、従来のシースヒータ等の発熱体のように、スクリードプレートに接触して熱気生成手段や熱風送出手段を設ける構成ではないので、熱気生成手段や熱風送出手段がスクリードプレートの振動に晒されずにすみ、熱気生成手段や熱風送出手段が故障する確率を低減させることができる。
【００１４】
また、本発明は、熱風送出手段によりスクリードプレート上に送り出された熱風を熱風送出手段に戻してスクリードプレート上を循環させる熱風循環経路を備えていることを特徴とする。
【００１５】
本構成によれば、熱風送出手段により熱風としてスクリードプレート上に送り出され、スクリードプレートを加熱した排気は、熱風循環経路を流れ、外部に排出されずにスクリードプレート上を循環する。このため、スクリードプレートを加熱しても排気に残っている熱が熱風循環経路外に排出されずに再利用されるので、熱効率が良く、熱気生成手段が消費する電気エネルギー量を少なく抑えることができる。また、熱風は熱風循環経路外に排出されないので、排気口を必要とせず、従来のように、人が排気口に触れて火傷する危険性をなくすることもできる。
【００１６】
また、本発明は、熱風送出手段から送り出された熱気を再加熱する再加熱手段を備えていることを特徴とする。
【００１７】
本構成によれば、サイズの大きなスクリードプレートを加熱する際、熱風送出手段から送り出された熱気がスクリードプレート上を移動する途中でその温度が低下しても、再加熱手段が熱気を再加熱するので、スクリードプレート全体の温度を均一に保つことができる。
【発明の効果】
【００１８】
本発明によるスクリードプレート加熱装置は、上記のように、熱気が直接吹き付けられるスクリードプレートの一部分だけが異常に高温になり、その部分が破損に至ることがなくなる。また、熱気が直接吹き付けられる部分と、その部分から離れた位置で加熱される部分との温度差がそれほど生じなくなり、スクリードプレートの温度分布はほぼ均一になる。また、バーナから炎が逆火したりする危険性や、スクリードプレート上に溜まった未燃焼のＬＰガスが引火した際に爆発を起こす危険性はなくなる。また、スクリードプレートの全体を短時間で加熱することができ、また、熱気生成手段や熱風送出手段がスクリードプレートの振動によって故障する確率を低減させることができる。
【発明を実施するための最良の形態】
【００１９】
次に、本発明を実施するための最良の形態について説明する。
【００２０】
図２は、この最良の形態によるスクリードプレート加熱装置を備えたアスファルトフィニッシャ２１の構成の概略を示す一部破断側面図である。
【００２１】
アスファルトフィニッシャ２１は、アスファルト加熱混合物ｋが積み込まれるホッパ２２が車体の前部に設けられている。ホッパ２２の後方の車体下部には、ホッパ２２に積み込まれたアスファルト加熱混合物ｋを搬送するコンベヤ２３が設けられており、コンベヤ２３のさらに後方の車体下部にはスクリュスプレッダ２４が設けられている。スクリュスプレッダ２４は、スクリュ軸の外周にスクリュ羽根が形成されており、スクリュ軸が定速回転するのに伴いスクリュ羽根が旋回し、コンベヤ２３から供給されて路面Ｒ上に落下したアスファルト加熱混合物ｋを路面Ｒの幅方向に撒き拡げる。車体の後方には、撒き拡げたアスファルト加熱混合物ｋを敷き均して舗装面を平滑に仕上げるスクリード装置２５が設けられている。このスクリード装置２５には、後述するスクリードプレート加熱装置が備えられている。アスファルトフィニッシャ２１は、一対の前方駆動輪２６Ｌ，２６Ｒおよび一対の後方駆動輪２７Ｌ，２７Ｒによって進行方向である同図左方に走行し、スクリード装置２５を牽引する。また、車体上部の運転席には操作部２８が設けられており、操作部２８には、スクリード装置２５を操作する操作レバーや操作スイッチなどが設けられている。
【００２２】
図３（ａ）は、図２に示すスクリード装置２５の平面図、同図（ｂ）はその後方正面図である。
【００２３】
本実施形態によるスクリードプレート加熱装置は、アスファルトフィニッシャ２１の機械中心Ｃを中心にして、左半分のスクリードプレート加熱装置と右半分のスクリードプレート加熱装置とが左右対称に形成されている。左半分のスクリードプレート３１Ｌはフレーム３２Ｌ１，フレーム３２Ｌ２により、右半分のスクリードプレート３１Ｒはフレーム３２Ｒ１，フレーム３２Ｒ２により、アスファルトフィニッシャ２１の車体に支持されている。
【００２４】
フレーム３２Ｌ１とフレーム３２Ｒ１とに挟まれたスクリード装置２５の中心部には、加熱部取付台４１Ｌ，４１Ｒが各フレーム３２Ｌ１，３２Ｒ１の側壁に設けられている。これら加熱部取付台４１Ｌ，４１Ｒには、防振ゴム４０Ｌ，４０Ｒを介して加熱部３９Ｌ，３９Ｒが設置されている。防振ゴム４０Ｌ，４０Ｒは、舗装面を施工中、舗装面を締め固めるタンパ装置の影響による振動を吸収し、加熱部３９Ｌ，３９Ｒに伝わらないようにする。各加熱部３９Ｌ，３９Ｒの上部には、ファン３８Ｌ，３８Ｒが設置されている。これらファン３８Ｌ，３８Ｒは、フレーム３２Ｌ１，３２Ｒ１を貫通するフレキシブルパイプ３６Ｌ，３６Ｒによって後述するダクトと接続されている。また、加熱部３９Ｌ，３９Ｒも、フレーム３２Ｌ１，３２Ｒ１を貫通するフレキシブルパイプ３７Ｌ，３７Ｒによって後述するダクトと接続されている。
【００２５】
図４（ａ）は、図３に示すスクリード装置２５の機械中心Ｃから左半分の前方斜視図であり、同図（ｂ）は、同図（ａ）のIIIｂ−IIIｂ線に沿って破断した矢視断面図である。なお、同図において、図３と同一部分には同一の符号を付してその説明は省略する。
【００２６】
スクリードプレート加熱装置は、フレーム３２Ｌ１とフレーム３２Ｌ２との間に左半分のダクトが設けられている。このダクトは、左右の側面がフレーム３２Ｌ１，３２Ｌ２、前後の側面がダクト壁３３Ｌ，３３Ｌで囲まれ、上面が断熱材３５Ｌ、下面がスクリードプレート３１Ｌで囲まれて、形成されている。また、このダクトには、その内部にコの字状の経路を形成する仕切り板３４Ｌが設けられている。ダクト内のコの字状の経路は往路Ａと復路Ｂとからなり、往路Ａはフレキシブルパイプ３７Ｌと接続され、復路Ｂはフレキシブルパイプ３６Ｌと接続されている。
【００２７】
図５（ａ）は、本実施形態による左半分のスクリードプレート加熱装置の概略を示す平面図であり、同図（ｂ）はその後方正面図である。なお、同図において、図４と同一部分には同一の符号を付して説明する。
【００２８】
加熱部３９Ｌの内部空間には、ヒータ５１Ｌが設けられている。このヒータ５１Ｌは、電流を流すとジュール熱を発生するニクロム線などからなり、アスファルトフィニッシャ２１に内蔵された交流発電機で得られた内蔵電源５３に接続されている。ヒータ５１Ｌは、電気エネルギーを熱エネルギーに変換して加熱部３９Ｌの内部の空気を加熱し、熱気を生成する熱気生成手段を構成している。加熱部３９Ｌで生成された熱気は、加熱部３９Ｌの上部に設けられたファン３８Ｌによって加熱部３９Ｌからフレキシブルパイプ３７Ｌを経由してダクト内の往路Ａへ送風される。ファン３８Ｌは、熱気生成手段で生成された加熱部３９Ｌの内部の熱気をスクリードプレート３１Ｌ上に熱風として送り出す熱風送出手段を構成している。
【００２９】
スクリードプレート３１Ｌ上に送り出された熱風は、まず、ダクト内の往路Ａを流れ、続いて、仕切り板３４の端部で折り返してダクト内の復路Ｂに流れ込み、スクリードプレート３１Ｌをその上面から熱伝達により加熱する。スクリードプレート３１Ｌを加熱した後の熱風は、フレキシブルパイプ３６Ｌを経由してダクト内の復路Ｂからファン３８Ｌに吸入される。スクリードプレート加熱装置に形成されたダクトの往路Ａおよび復路Ｂは、熱風送出手段によりスクリードプレート３１Ｌ上に送り出された熱風を、熱風送出手段であるファン３８Ｌに戻してスクリードプレート３１Ｌ上を循環させる熱風循環経路を構成している。
【００３０】
また、ダクト内の復路Ｂの開始地点付近には、再加熱ヒータ５２Ｌが備えられている。この再加熱ヒータ５２Ｌは、加熱部３９Ｌの内部に設けられたヒータと同様、電流を流すとジュール熱を発生するニクロム線などからなり、仕切り板３４の端部から折り返してダクト内の復路Ｂに流れ込む熱風を再加熱する。再加熱ヒータ５２Ｌは、ファン３８Ｌから送り出された熱気を再加熱する再加熱手段を構成している。
【００３１】
なお、図示していない右半分のスクリードプレート加熱装置も上述した左半分のスクリードプレート加熱装置と同様の構造を有しているので、その説明は省略する。
【００３２】
上記の構成において、内蔵電源５３に接続されたヒーター５１Ｌで電気エネルギーを熱エネルギーに変換して、加熱部３９Ｌの内部の空気を加熱して熱気を生成する。ヒーター５１Ｌによって生成された熱気は、ファン３８Ｌによってスクリードプレート３１Ｌ上のダクト内の往路Ａに熱風として送り出される。ダクト内の往路Ａに送り出された熱風は、スクリードプレート３１Ｌの半分の上面を熱伝達によって加熱しながらダクト内の往路Ａを流れ、その後、仕切り板３４Ｌの端部で折り返してダクト内の復路Ｂに流れ込む。ダクト内の復路Ｂに流れ込んだ熱風は、内蔵電源５３に接続された再加熱ヒータ５２Ｌで再び加熱され、スクリードプレート３１Ｌの残り半分の上面を加熱しながら流れ、ファン３８Ｌに吸入される。吸収された熱風は再び加熱部３９Ｌで加熱され、ファン３８Ｌによってダクト内へ送り出されて往路Ａおよび復路Ｂを循環する。
【００３３】
なお、図示していない右半分のスクリードプレート加熱装置により、右半分のスクリードプレート３１Ｒも、上述した左半分のスクリードプレート３１Ｌと同様に生成された熱風がダクト内の往路および復路を循環することによって加熱される。
【００３４】
上述した本実施形態によるスクリードプレート加熱装置によれば、ヒータ５１Ｌおよび図示しない右半分のスクリードプレート加熱装置を構成するヒータが、電気エネルギーを熱エネルギーに変換して加熱部３９Ｌ，３９Ｒの内部の空気を加熱し、熱気を生成するため、生成される熱気は、ＬＰガスの燃焼によって生成される従来の熱気ほど高温にはならない。従って、熱気が直接吹き付けられるスクリードプレート３１Ｌ，３１Ｒの一部分だけが異常に高温になり、その部分が破損に至ることがなくなる。また、熱気が直接吹き付けられるスクリードプレート３１Ｌ，３１Ｒの一部分だけが異常に高温になることがなくなるので、熱気が直接吹き付けられる部分と、その部分から離れた位置で加熱される部分との温度差がそれほど生じなくなり、スクリードプレート３１Ｌ，３１Ｒの温度分布はほぼ均一になる。
【００３５】
また、ヒータ５１Ｌおよび図示しない右半分のスクリードプレート加熱装置を構成するヒータが、電気エネルギーを熱エネルギーに変換して加熱部３９Ｌ，３９Ｒの内部の空気を加熱し、熱気を生成するので、バーナを燃焼させるＬＰガスを使用せずにすむ。このため、従来のように、ファン３８Ｌ，３８Ｒが故障した場合にバーナから炎が逆火したりする危険性や、バーナの着火に失敗した場合に、未燃焼のＬＰガスがスクリードプレート３１Ｌ，３１Ｒ上に溜まり、引火した際に爆発を起こす危険性はなくなる。
【００３６】
また、ファン３８Ｌ，３８Ｒにより、ヒータ５１Ｌおよび図示しない右半分のスクリードプレート加熱装置を構成するヒータで生成された熱気がスクリードプレート３１Ｌ，３１Ｒ上に熱風として送り出され、スクリードプレート３１Ｌ，３１Ｒが面で加熱されるので、従来の、線状のシースヒータを用いた熱伝導によってスクリードプレートを加熱する構成と比べ、加熱する面積が広いスクリードプレート３１Ｌ，３１Ｒの全体を短時間で加熱することができる。また、従来のシースヒータ等の発熱体のように、スクリードプレート３１Ｌ，３１Ｒに接触してヒータやファン３８Ｌ，３８Ｒを設ける構成ではないので、ヒータやファン３８Ｌ，３８Ｒがスクリードプレート３１Ｌ，３１Ｒの振動に晒されずにすみ、ヒータやファン３８Ｌ，３８Ｒが故障する確率を低減させることができる。さらに、内部にヒータを備えた加熱部３９Ｌ，３９Ｒおよびファン３８Ｌ，３８Ｒが、防振ゴム４０Ｌ，４０Ｒを介して加熱部取付台４１Ｌ，４１Ｒ上に設置されているので、スクリードプレート３１Ｌ，３１Ｒの振動でヒータやファン３８Ｌ，３８Ｒが故障する確率をより低減させられる。
【００３７】
また、本実施形態では、ファン３８Ｌ，３８Ｒにより熱風としてスクリードプレート３１Ｌ，３１Ｒ上に送り出され、スクリードプレート３１Ｌ，３１Ｒを加熱した排気は、往路Ａおよび復路Ｂによって形成される熱風循環経路を流れ、外部に排出されずにスクリードプレート３１Ｌ，３１Ｒ上を循環する。このため、スクリードプレート３１Ｌ，３１Ｒを加熱しても排気に残っている熱が熱風循環経路外に排出されずに再利用されるので、熱効率が良く、ヒータ５１Ｌおよび図示しない右半分のスクリードプレート加熱装置を構成するヒータが消費する電気エネルギー量を少なく抑えることができる。また、熱風は熱風循環経路外に排出されないので、排気口を必要とせず、従来のように、人が排気口に触れて火傷する危険性をなくすることもできる。
【００３８】
また、本実施形態では、往路Ａおよび復路Ｂによって形成される熱風循環経路の上面が断熱材３５Ｌ，３５Ｒで覆われている。このため、スクリードプレート３１Ｌ，３１Ｒの上面への放熱を抑えることができる。
【００３９】
また、本実施形態では、サイズの大きなスクリードプレート３１Ｌ，３１Ｒを加熱する際、ファン３８Ｌ，３８Ｒから送り出された熱気がスクリードプレート３１Ｌ，３１Ｒ上を移動する途中でその温度が低下しても、再加熱ヒータ５２Ｌおよび図示しない右半分のスクリードプレート加熱装置を構成する再加熱ヒータが熱気を再加熱するので、スクリードプレート３１Ｌ，３１Ｒ全体の温度を均一に保つことができる。従って、フレキシブルパイプ３７Ｌ，３７Ｒからダクト内部の往路Ａに送風される熱風の入口と、ダクト内部の復路Ｂからフレキシブルパイプ３６Ｌ，３６Ｒに排気される熱風の出口との熱気の温度差が小さくなる。
【００４０】
なお、上記の本実施形態においては、往路Ａおよび復路Ｂによって形成される熱風循環経路の途中に、再加熱ヒータ５２Ｌおよび図示しない右半分のスクリードプレート加熱装置を構成する再加熱ヒータを１つ設けた場合を説明したが、本発明はこれに限られるものではない。例えば、往路Ａおよび復路Ｂによって形成される熱風循環経路の途中に、再加熱ヒータ５２Ｌおよび図示しない右半分のスクリードプレート加熱装置を構成する再加熱ヒータを複数設けた構成であってもよい。この構成によれば、スクリードプレート３１Ｌ，３１Ｒ全体の温度をより均一に保つことができる。
【００４１】
また、上記の本実施形態においては、防振ゴム４０Ｌ，４０Ｒを介して加熱部取付台４１Ｌ，４１Ｒ上に加熱部３９Ｌ，３９Ｒを設置した場合を説明したが、本発明はこれに限られるものではない。例えば、防振ゴム４０Ｌ，４０Ｒの代わりにバネ等の弾性部材を用いた構成であってもよい。この構成においても、上記の実施形態と同様の作用効果が奏される。
【産業上の利用可能性】
【００４２】
上記の実施形態においては、本発明によるスクリードプレート加熱装置をアスファルトフィニッシャにおけるスクリードプレート加熱装置に適用した場合を説明したが、本発明はこれに限られるものではない。例えば、リミキサやリペーバといった路上表層再生機のスクリードプレート加熱装置に本発明を適用することも可能である。
【図面の簡単な説明】
【００４３】
【図１】（ａ）は、バーナを用いた従来の熱風式のスクリードプレート加熱装置を後ろから見た概念図、（ｂ）は、シースヒータを用いた従来の電気加熱式のスクリードプレート加熱装置を上から見た概念図である。
【図２】本実施形態によるスクリードプレート加熱装置を備えたアスファルトフィニッシャの構成の概略を示す一部破断側面図である。
【図３】（ａ）は、図２に示すスクリード装置の平面図、同図（ｂ）はその後方正面図である。
【図４】（ａ）は、図３に示すスクリード装置の左半分の前方斜視図であり、同図（ｂ）は、同図（ａ）のIIIｂ−IIIｂ線に沿って破断した矢視断面図である。
【図５】（ａ）は、本実施形態による左半分のスクリードプレート加熱装置の概略を示す平面図であり、同図（ｂ）はその後方正面図である。
【符号の説明】
【００４４】
２５…スクリード装置
３１Ｌ，３１Ｒ…スクリードプレート
３２Ｌ１，３２Ｌ２、３２Ｒ１，３２Ｒ２…フレーム
３３Ｌ，３３Ｒ…ダクト壁
３４Ｌ…仕切り板
３５Ｌ，３５Ｒ…断熱材
３６Ｌ，３７Ｌ、３６Ｒ，３７Ｒ…フレキシブルパイプ
３８Ｌ，３８Ｒ…ファン
３９Ｌ，３９Ｒ…加熱部
５１…ヒータ
５２…再加熱ヒータ
【図１】
2009243100.tif 000003
【図２】
2009243100.tif 000004
【図３】
2009243100.tif 000005
【図４】
2009243100.tif 000006
【図５】
2009243100.tif 000007